(57)【要約】【課題】試験装置で防災機器の少なくとも一部を覆った状態でも試験に関する情報を把握させることが可能となる防災機器を提供すること。【解決手段】感知器１００であって、外カバー１１と、発光することにより少なくとも防災機器の試験に関する情報を出力する表示手段であって、外カバー１１に設けられている表示手段と、を備え、表示手段の表示面の少なくとも一部は、感知器１００の試験を行うために、外カバー１１の少なくとも一部が試験装置で覆われた場合に、試験装置の外側に露出し、表示手段は、外カバー１１の側面部に形成されており、また、表示手段は、外カバー１１の正面部における縁部に形成されており、また、表示手段は、外カバー１１に形成されている導光部１１１の一部であって、発光部からの光を導光する導光部１１１の一部である。【選択図】図１
2020190999.tif 000002
【特許請求の範囲】
【請求項１】
防災機器であって、
外カバーと、
発光することにより少なくとも前記防災機器の試験に関する情報を出力する表示手段であって、前記外カバーに設けられている前記表示手段と、を備え、
前記表示手段の表示面の少なくとも一部は、前記防災機器の試験を行うために、前記外カバーの少なくとも一部が試験装置で覆われた場合に、当該試験装置の外側に露出する、
防災機器。
【請求項２】
前記表示手段は、前記外カバーの側面部から突出している、
請求項１に記載の防災機器。
【請求項３】
前記表示手段は、少なくとも、前記外カバーの側面部に形成されている、
請求項１又は２に記載の防災機器。
【請求項４】
前記表示手段は、少なくとも、前記外カバーの正面部における縁部に形成されている、
請求項１から３の何れか一項に記載の防災機器。
【請求項５】
前記表示手段は、前記外カバーに形成されている導光手段であって、発光手段からの光を導光する前記導光手段である、
請求項１から４の何れか一項に記載の防災機器。
【請求項６】
前記表示手段は、前記外カバーにおける他の部分よりも薄い薄肉部であって、発光手段からの光が照射される前記薄肉部である、
請求項１から５の何れか一項に記載の防災機器。
【請求項７】
前記防災機器は、少なくとも、熱感知器である、
請求項１から６の何れか一項に記載の防災機器。
【発明の詳細な説明】
【技術分野】
【０００１】
本発明は、防災機器に関する。
【背景技術】
【０００２】
従来、天井等に設置されて火災による熱を検出する感知器が知られていた（例えば、特許文献１参照）。この感知器においては、当該感知器に対する試験が定期的に行われていたが、感知器の外カバーに設けられている表示灯を発光させることにより、試験に関する情報を出力するように構成されていた。
【先行技術文献】
【特許文献】
【０００３】
【特許文献１】特開２０１２−１９８７５７号公報
【発明の概要】
【発明が解決しようとする課題】
【０００４】
しかしながら、特許文献１の感知器の試験については、例えば、感知器の少なくとも一部を覆う円筒型の試験冶具を用いて当該感知器に対して熱を加えることにより行われていたので、試験冶具で感知器の少なくとも一部を覆った状態で熱を加えている際中は感知器の表示灯が試験冶具によって隠れて視認不可能となってしまい、熱を加えている際中にユーザが試験に関する情報を把握できなくなる可能性があった。
【０００５】
従って、試験冶具で感知器の少なくとも一部を覆った状態でも試験に関する情報を把握可能にするという観点において、改善の余地があった。
【０００６】
本発明は上記問題に鑑みてなされたもので、試験装置で防災機器の少なくとも一部を覆った状態でも試験に関する情報を把握させることが可能となる防災機器を提供することを目的とする。
【課題を解決するための手段】
【０００７】
上述した課題を解決し、目的を達成するために、請求項１に記載の防災機器は、防災機器であって、外カバーと、発光することにより少なくとも前記防災機器の試験に関する情報を出力する表示手段であって、前記外カバーに設けられている前記表示手段と、を備え、前記表示手段の表示面の少なくとも一部は、前記防災機器の試験を行うために、前記外カバーの少なくとも一部が試験装置で覆われた場合に、当該試験装置の外側に露出する。
【０００８】
また、請求項２に記載の防災機器は、請求項１に記載の防災機器において、前記表示手段は、前記外カバーの側面部から突出している。
【０００９】
また、請求項３に記載の防災機器は、請求項１又は２に記載の防災機器において、前記表示手段は、少なくとも、前記外カバーの側面部に形成されている。
【００１０】
また、請求項４に記載の防災機器は、請求項１から３の何れか一項に記載の防災機器において、前記表示手段は、少なくとも、前記外カバーの正面部における縁部に形成されている。
【００１１】
また、請求項５に記載の防災機器は、請求項１から４の何れか一項に記載の防災機器において、前記表示手段は、前記外カバーに形成されている導光手段であって、発光手段からの光を導光する前記導光手段である。
【００１２】
また、請求項６に記載の防災機器は、請求項１から５の何れか一項に記載の防災機器において、前記表示手段は、前記外カバーにおける他の部分よりも薄い薄肉部であって、発光手段からの光が照射される前記薄肉部である。
【００１３】
また、請求項７に記載の防災機器は、請求項１から６の何れか一項に記載の防災機器において、前記防災機器は、少なくとも、熱感知器である。
【発明の効果】
【００１４】
請求項１に記載の防災機器によれば、表示手段の表示面の少なくとも一部は、防災機器の試験を行うために、外カバーの少なくとも一部が試験装置で覆われた場合に、当該試験装置の外側に露出することにより、例えば、試験装置で防災機器の少なくとも一部を覆った状態でも、表示手段を視認可能にすることができるので、試験に関する情報を把握させることが可能となる。
【００１５】
請求項２に記載の防災機器によれば、表示手段は外カバーの側面部から突出していることにより、例えば、表示手段を確実に視認させることができるので、試験に関する情報を確実に把握させることが可能となる。
【００１６】
請求項３に記載の防災機器によれば、表示手段は外カバーの側面部に形成されていることにより、例えば、防災機器に対するあらゆる方向から表示手段を視認させることができるので、試験に関する情報を確実に把握させることが可能となる。
【００１７】
請求項４に記載の防災機器によれば、表示手段は外カバーの正面部における縁部に形成されていることにより、例えば、防災機器の真下からも表示手段を視認させることができるので、試験に関する情報を確実に把握させることが可能となる。
【００１８】
請求項５に記載の防災機器によれば、表示手段は導光部であることにより、例えば、表示手段に対する光源（例えば、発光手段）の設置位置の自由度を向上させることができるので、防災機器の設計の自由度を向上させることが可能となる。
【００１９】
請求項６に記載の防災機器によれば、表示手段は薄肉部であることにより、例えば、発光させるための他の構成要素を設けることが不要となるので、部品点数を減少させることができ、コストの低減を図ることが可能となる。
【００２０】
請求項７に記載の防災機器によれば、防災機器は少なくとも熱感知器であることにより、例えば、試験装置で防災機器の少なくとも一部を覆った状態でも、試験に関する情報を把握させることができる熱感知器を提供することができる。
【図面の簡単な説明】
【００２１】
【図１】実施の形態１における感知器の斜視図である。
【図２】感知器の平面図である。
【図３】感知器の側面図である。
【図４】図２のＡ‐Ａ断面図である。
【図５】図４において光路を例示した図である。
【図６】試験装置と感知器とを示す側面図である。
【図７】図４の断面図に対して試験冶具を図示した図である。
【図８】図４の断面図に対して試験用アダプタを図示した図である。
【図９】実施の形態２における感知器の斜視図である。
【図１０】感知器の平面図である。
【図１１】感知器の側面図である。
【図１２】図１０のＢ‐Ｂ断面図である。
【図１３】図１２において光路を例示した図である。
【図１４】図１２の断面図に対して試験冶具を図示した図である。
【図１５】図１２の断面図に対して試験用アダプタを図示した図である。
【図１６】感知器の平面図である。
【図１７】図１６のＣ‐Ｃ断面図に対して試験冶具を図示した図である。
【発明を実施するための形態】
【００２２】
以下に、本発明に係る防災機器の実施の形態を図面に基づいて詳細に説明する。なお、実施の形態によりこの発明が限定されるものではない。
【００２３】
〔実施の形態の基本的概念〕
まずは、実施の形態の基本的概念について説明する。実施の形態は、概略的に、防災機器に関するものである。
【００２４】
「防災機器」とは、防災のために用いられる機器であり、例えば、監視領域の異常を検出する機器等を含む概念であり、一例としては、熱感知器、火災感知器、ガス感知器、及び煙感知器等を含む概念である。また、「防災機器」とは、例えば、外カバー、及び表示手段を備える。
【００２５】
「監視領域」とは、防災機器による監視の対象となっている領域であり、具体的には、一定の広がりを持った空間であり、例えば、建築物の部屋（例えば、１階の部屋Ａ、１階の部屋Ｂ等）、廊下、階段等を含む概念である。また、「監視領域の異常」とは、監視領域の状態が通常とは異なっている状態であることであり、具体的には、火災発生、ガス漏れ等を含む概念である。
【００２６】
「外カバー」とは、例えば、防災機器の構成要素の少なくとも一部を覆うものである。
【００２７】
「表示手段」とは、発光することにより少なくとも防災機器の試験に関する情報を出力する手段であって、外カバーに設けられている手段であり、具体的には、防災機器の試験を行うために、外カバーの少なくとも一部が試験装置で覆われた場合に、当該表示手段の表示面の少なくとも一部が当該試験装置の外側に露出するもの又は部分等を含む概念である。
【００２８】
また、「表示手段」とは、例えば、カバーの側面部から突出しているもの又は部分等を含む概念であり、また、少なくとも、外カバーの正面部における縁部に形成されているもの又は部分等を含む概念であり、また、導光手段等を含む概念であり、また、薄肉部等を含む概念である。また、「表示手段の表示面」とは、例えば、表示手段における防災機器の外部に露出する面であって、発光する面であり、利用者に視認される面等を含む概念である。
【００２９】
「導光手段」とは、例えば、外カバーに形成されている手段であって、発光手段からの光を導光するもの又は部分等を含む概念である。「薄肉部」とは、例えば、外カバーにおける他の部分よりも薄い部分であって、発光手段からの光が照射される部分等を含む概念であり、また、照射した光の一部を透過させる部分等を含む概念である。「発光手段」とは、例えば、光を出力する手段である。
【００３０】
そして、以下に示す各実施の形態では、「防災機器」が熱感知器である場合について説明し、特に、実施の形態１においては、表示手段が導光手段である場合について説明し、また、実施の形態２においては、表示手段が薄肉部である場合について説明する。
【００３１】
［実施の形態の具体的内容］
次に、実施の形態の具体的内容について説明する。
【００３２】
（実施の形態１）
初めに、実施の形態１について説明する。この実施の形態においては、表示手段が導光手段である場合について説明する。
【００３３】
（構成−感知器）
まず、本実施の形態に係る感知器の構成について説明する。図１は、本発明の実施の形態における感知器の斜視図であり、図２は、感知器の平面図であり、図３は、感知器の側面図であり、図４は、図２のＡ‐Ａ断面図である。なお、各図では、Ｚ軸が垂直方向を示しており、Ｚ軸と直交するＸ軸及びＹ軸が水平方向を示していることとして説明する。また、例えば、「正面部」、「背面部」、及び「側面部」については、感知器１００の一部を称する用語であることとして説明する。具体的には、感知器１００を天井面である取付対象９００に設置した場合において、感知器１００における床面側（感知器１００を基準として取付対象９００の反対側）（図３の−Ｚ方向）に位置するほうを「正面部」と称し、感知器１００における天井面である取付対象９００に面するほう（図３の＋Ｚ方向）を「背面部」とする。そして、感知器１００における「正面部」と「背面部」に繋がる周面を「側面部」とする。なお、これらの「正面部」、「背面部」、及び「側面部」の定義については、実施の形態２でも同様とする。
【００３４】
図１〜図４の各図の感知器１は、防災機器であり、具体的には、熱を検出する熱感知器であり、例えば、天井面である取付対象９００に対して図３の感知器１００の取付部１０１（例えば、所謂「感知器ベース」。詳細構造の図示は省略）を介して取り付けられるものであり、一例としては、図１の外カバー１１、保護部１２、防止部１３、図４のサーミスタ１４、発光部１５を備える。
【００３５】
（構成−感知器−外カバー）
図１の外カバー１１は、感知器１００の構成要素の少なくとも一部を覆うものである。この外カバー１１の具体的な種類や構成は任意であるが、例えば、図３に示すように、取付部１０１から離れても同径の円筒状の部分と、取付部１０１から離れるにつれて小径となるテーパー形状の部分とを備えるものであり、また、特記する部分を除いて遮光性を有するものであり、また、図２の導光部１１１、及び操作孔１１２を備えるものである。なお、「遮光性」とは、光を遮る性能であり、例えば、外カバー１１における内側から外側に対して光を通さない性能等を示す概念である。
【００３６】
導光部１１１とは、前述の表示手段であり、また、導光手段である。この導光部１１１の具体的な種類や構成は任意であるが、例えば、外カバー１１の一部に形成されているものであり、また、光を導いて発光するライトガイドとして機能するために任意の材料にて形成されるものであり、また、外カバー１１における遮光性を有する部分とは別体として形成されているものであり、また、外カバー１１における内側から外側に対して光を通すものである。また、導光部１１１は、例えば、当該導光部１１１の表示面（図２及び図３で図示されている感知器１００の外部に対して露出している面）が外カバー１１の正面部側（−Ｚ方向）から外カバー１１の側面部側（＋Ｘ方向又は−Ｘ方向）にわたっているものであり、また、２個設けられているものであり、また、図２に示すように、当該導光部１１１の表示面が外カバー１１の正面部側から見たときに直線形状のものであり、また、操作孔１１２の位置に対応する位置に設けられているものである。
【００３７】
操作孔１１２とは、感知器１００を物理的に操作するための操作手段である。この操作孔１１２の具体的な種類や構成は任意であるが、例えば、感知器１００の外カバー１１を、取付部１０１に対して回動させるために所定の冶具の突起が挿入される孔である。
【００３８】
（構成−感知器−保護部）
図１の保護部１２は、検出素子保護手段である。「検出素子保護手段」とは、例えば、検出素子であるサーミスタ１４を収容して保護するものである。この保護部１２の具体的な種類や構成は任意であるが、例えば、外カバー１１の一部に形成されているものであり、また、光を導いて発光するライトガイドとして機能するために任意の材料にて形成されるものであり、また、外カバー１１における遮光性を有する部分とは別体として形成されているものであり、また、外カバー１１における内側から外側に対して光を通すものである。また、保護部１２は、例えば、図４のサーミスタ１４を保護するものであり、また、当該サーミスタ１４を収容するための中空部を有するものであり、外カバー１１から取付部１０１の反対側（−Ｚ方向）に向かって突出しているものであり、また、外カバー１１が広がっている方向（ＸＹ平面に平行な方向）において当該外カバー１１の中央に設けられているものであり、また、導光部１１１と一体的に形成されているものである。また、保護部１２は、例えば、図１のフレーム部１２１、開口部１２２、及び図４の分光部１２３を備えるものである。
【００３９】
フレーム部１２１は、例えば、保護部１２の少なくとも一部の外形を形成す部分であり、また、感知器１００における先端部分（−Ｚ方向）を形成する１個の円形部材と、当該円形部材と外カバー１１との間において当該円形部材を支持している６個の支持部材とを備える部分である。
【００４０】
開口部１２２は、例えば、保護部１２の中空部に設けられているサーミスタ１４に対して熱気流を流入又は流出させる部分であり、また、前述のフレーム部１２１の６個の支持部材で区切られて６個設けられている部分である。
【００４１】
分光部１２３は、例えば、発光部１５から出力される光を屈折、分散、又は反射させる部分であり、また、発光部１５と対向している部分である。
【００４２】
（構成−感知器−防止部）
図１の防止部１３は、保護部１２に収容されているサーミスタ１４に対して接触対象が接触することを防止する防止手段である。なお、「接触対象」とは、接触することが防止部１３によって防止される対象であり、例えば、ユーザの指等を含む概念である。この防止部１３の具体的な種類や構成は任意であるが、例えば、開口部１２２に設けられている突起である。
【００４３】
（構成−感知器−サーミスタ）
図４のサーミスタ１４は、検出素子である。「検出素子」とは、例えば、検出対象の物理量を検出するための構成要素である。「検出対象の物理量」とは、例えば、監視領域の異常に起因して発生又は変化し得る量であり、一例としては、熱又は熱気流による温度等を含む概念である。このサーミスタ１４の具体的な種類や構成は任意であるが、例えば、熱又は熱気流による温度を検出するものであり、また、外カバー１１が広がっている方向に対して直交する方向（Ｚ軸方向）において突出しているものであり、保護部１２に収容されているものである。
【００４４】
（構成−感知器−発光部）
図４の発光部１５は、前述の発光手段である。この発光部１５の具体的な種類や構成は任意であるが、例えば、導光部１１１、及び保護部１２を発光させるものであり、また、分光部１２３に向かって光を出力するものであり、また、発光ダイオード等を用いて構成することができるものである。
【００４５】
（発光）
次に、このように構成される感知器１００による発光について説明する。なお、感知器１００が発光するタイミングは任意であり、例えば、感知器１００の試験に関する情報を出力する場合、あるいは、感知器１００がサーミスタ１４で検出した熱の温度に基づいて火災を判定した場合等の任意のタイミングが想定される。なお、感知器１００が火災を判定する処理は、従来と同様の処理を適用することができるので、その説明は省略する。図５は、図４において光路を例示した図である。
【００４６】
図５の感知器１００の不図示の制御部が発光部１５から光を出力する。この場合、当該発光部１５からの光は、分光部１２３にて屈折、分散、又は反射されて、図５に示すように、導光部１１１及び保護部１２全体に導光される。なお、図５では、説明の便宜上、図面左側の発光部１５からの光の光路のみが図示されているが、実際には、図面右側の発光部１５からも光が出力されて、導光部１１１及び保護部１２全体に導光されることになる。そして、図１の導光部１１１及び保護部１２全体が発光することになる。
【００４７】
（試験）
次に、このように構成される感知器１００の試験について説明する。「試験」とは、感知器１００の能力を試すことである。なお、この感知器１００の試験の具体的な内容は任意であるが、例えば、後述する試験用装置を用いて火災発生を模擬して感知器１００に対して熱を加えた場合に、当該感知器１００が加えられた熱を検出するか否かを試す試験を行う場合について説明する。ここでは、例えば、感知器１００の制御部が、サーミスタ１４での温度の検出結果を取得し、取得した温度が閾値以上である場合に火災として検出し、図４の発光部１５から赤色光を出力し続けることにより、試験にて感知器１００が火災を検出したことを示す情報を出力するように構成されているものとして、以下説明する。
【００４８】
図６は、試験装置と感知器とを示す側面図であり、図７は、図４の断面図に対して試験冶具を図示した図であり、図８は、図４の断面図に対して試験用アダプタを図示した図である。なお、図７及び図８においては、説明の便宜上、試験冶具８１及び試験用アダプタ８２が一点鎖線で図示されている。また、この図７及び図８において、感知器１００の一部は、試験冶具８１及び試験用アダプタ８２の内部の中空部に設けられて実際には見えない状態となっているが、説明の便宜上、実線で図示されている。感知器１００の試験は、図６の試験用装置８００を用いて行われる。
【００４９】
（試験−試験用装置）
試験用装置８００は、感知器１００の試験を行うために用いられる装置であり、例えば、図６に示すように持ち手部分と試験冶具８１とを備え、任意で図８の試験用アダプタ８２を備える。
【００５０】
（試験−試験用装置−試験冶具）
試験冶具８１は、前述の試験装置であり、具体的には、試験用装置８００の棒状の持ち手部分の先端に設けられているものであり、例えば、内部に感知器１００の少なくとも一部（例えば、保護部１２等）を収容して熱を加えるための中空部を備える円筒形状のものであり、また、金属製のものである。この試験冶具８１のサイズは任意であるが、例えば、図７に示すように、試験冶具８１の外径が感知器１００の外径よりも大径となっており、また、当該試験冶具８１の内径が感知器１００の外径よりも小径となっている場合について説明する。
【００５１】
（試験−試験用装置−試験用アダプタ）
図８の試験用アダプタ８２は、前述の試験装置であり、具体的には、図６の試験冶具８１の先端側（＋Ｚ方向）に着脱自在に取り付け可能となっているものであり、例えば、試験冶具８１よりも小径となるように径を変換するために用いられるものであり、例えば、円筒形状のものであり、また、金属製のものであり、また、取り付けられた場合に試験冶具８１の中空部と連続する中空部を備えるものである。この試験用アダプタ８２のサイズは任意であるが、例えば、図８に示すように、試験用アダプタ８２の外径が感知器１００の外径よりも小径となっている場合について説明する。
【００５２】
（試験−具体的内容）
次に、試験用アダプタ８２を用いずに試験を行う場合と、試験用アダプタ８２を用いて試験を行う場合について説明する。
【００５３】
まず、試験用アダプタ８２を用いずに試験を行う場合、図７に示すように試験冶具８１を感知器１００に当接させて当該感知器１００の一部（例えば、保護部１２等）を試験冶具８１の中空部に収容した状態で、当該試験冶具８１の中空部側から熱を加える。この場合、感知器１００の制御部で、火災として検出し、図４の発光部１５から赤色光を出力する。そして、前述したように、赤色光が導光部１１１及び保護部１２に導光されて、導光部１１１及び保護部１２全体が発光することになる。この場合、導光部１１１の一部及び保護部１２は、図７に示すように試験冶具８１に隠れて外部から視認不可能となっているが、導光部１１１における外カバー１１の側面部側の一部である側方部１１１Ａが露出しているので、当該側方部１１１Ａの赤色の発光が視認可能となる。このため、ユーザは、当該側方部１１１Ａの赤色の発光を視認することにより、試験に関する情報を把握することが可能となる。
【００５４】
次に、試験用アダプタ８２を用いて試験を行う場合、図８に示すように試験用アダプタ８２を感知器１００に正面部側から当接させて当該感知器１００の一部（例えば、保護部１２等）を試験用アダプタ８２の中空部に収容した状態で、当該試験用アダプタ８２の中空部側から熱を加える。この場合、感知器１００の制御部は、熱を検出した上で、図４の発光部１５から赤色光を出力する。そして、前述したように、赤色光が導光部１１１及び保護部１２に導光されて、導光部１１１及び保護部１２全体が発光することになる。この場合、導光部１１１の一部及び保護部１２は、図８に示すように試験冶具８１に隠れて外部から視認不可能となっているが、導光部１１１における外カバー１１の側面部側の一部である側方部１１１Ａ、及び導光部１１１における外カバー１１の正面部の縁部に形成されている一部である正面側縁部１１１Ｂが露出しているので、当該側方部１１１Ａ及び正面側縁部１１１Ｂの赤色の発光が視認可能となる。このため、ユーザは、当該側方部１１１Ａ及び正面側縁部１１１Ｂの赤色の発光を視認することにより、試験に関する情報を把握することが可能となる。
【００５５】
（実施の形態の効果）
このように本実施の形態によれば、表示手段である導光部１１１の表示面の少なくともの一部は、感知器１００の試験を行うために、外カバー１１の少なくとも一部が試験冶具８１又は試験用アダプタ８２で覆われた場合に、当該試験冶具８１又は試験用アダプタ８２の外側に露出することにより、例えば、試験冶具８１又は試験用アダプタ８２で感知器１００の少なくとも一部を覆った状態でも、導光部１１１の一部を視認可能にすることができるので、試験に関する情報を把握させることが可能となる。
【００５６】
また、表示手段は外カバー１１の側面部に形成されている側方部１１１Ａを含むことにより、例えば、感知器１００に対するあらゆる方向から表示手段を視認させることができるので、試験に関する情報を確実に把握させることが可能となる。
【００５７】
また、表示手段は外カバー１１の正面部における縁部に形成されている正面側縁部１１１Ｂを含むことにより、例えば、感知器１００の真下からも表示手段を視認させることができるので、試験に関する情報を確実に把握させることが可能となる。
【００５８】
また、表示手段は導光部１１１の一部であることにより、例えば、表示手段に対する光源である発光部１５の設置位置の自由度を向上させることができるので、感知器１００の設計の自由度を向上させることが可能となる。
【００５９】
（実施の形態２）
次に、実施の形態２について説明する。この実施の形態においては、表示手段が薄肉部である場合について説明する。なお、この実施の形態２の各構成については、特記する場合を除いて、実施の形態１の同一名称の各構成と同様であることとする。
【００６０】
（構成−感知器）
まず、本実施の形態に係る感知器の構成について説明する。図９は、本発明の実施の形態における感知器の斜視図であり、図１０は、感知器の平面図であり、図１１は、感知器の側面図であり、図１２は、図１０のＢ‐Ｂ断面図である。各図の感知器２００は、防災機器であり、具体的には、熱を検出する熱感知器であり、例えば、天井面である取付対象９００に対して図１１の感知器２００の取付部２０１を介して取り付けられているものであり、一例としては、図９の外カバー２１、保護部２２、防止部２３、図１２のサーミスタ２４、発光部２５を備える。
【００６１】
（構成−感知器−外カバー）
図９の外カバー２１は、感知器２００の構成要素の少なくとも一部を覆うものである。この外カバー２１の具体的な種類や構成は任意であるが、例えば、光を全部又は一部のみ遮るものであり、また、図１０の薄肉部２１１を備えるものである。
【００６２】
薄肉部２１１とは、表示手段であり、また、外カバー２１における厚さが他の部分に比べて相対的に薄い部分である。この薄肉部２１１の具体的な種類や構成は任意であるが、例えば、照射された光のうちの少なくとも一部を透過可能な程度に薄い部分（つまり、照射された光のうちの一部のみを遮光する程度に薄い部分）であり、また、外カバー２１における他の部分と一体的に形成されている部分であり、また、外カバー２１の正面部側（−Ｚ方向）から外カバー２１の側面部側（＋Ｘ方向又は−Ｘ方向）にわたっているものであり、また、２個設けられているものであり、また、図１０に示すように、外カバー２１の正面部側から見たときに直線形状のものである。
【００６３】
なお、「外カバー２１における他の部分」とは、外カバー２１の一部であり、具体的には、外カバー２１における薄肉部２１１以外の部分であり、例えば、照射された光のうちの全部を遮光する程度の厚みとなっている部分である。
【００６４】
（構成−感知器−保護部）
図９の保護部２２は、前述の検出素子保護手段である。この保護部２２の具体的な種類や構成は任意であるが、例えば、外カバー２１の一部に形成されているものであり、また、光を導いて発光するライトガイドとして機能するために任意の材料にて形成されるものであり、また、外カバー２１における遮光性を有する部分とは別体として形成されているものであり、また、外カバー２１における内側から外側に対して光を通すものである。また、保護部２２は、例えば、図１２のサーミスタ２４を保護するものであり、また、図１０のフレーム部２２１、開口部２２２、及び図１２の分光部２２３を備えるものである。なお、フレーム部２２１、開口部２２２、及び分光部２２３の構成は、実施の形態１の同一名称の構成と同様であるので、その説明を省略する。
【００６５】
（構成−感知器−防止部、サーミスタ、発光部）
図９の防止部２３、図１２のサーミスタ２４、及び発光部２５の構成は、実施の形態１の同一名称の構成と同様であるので、その説明を省略する。
【００６６】
（発光）
次に、このように構成される感知器２００による発光について説明する。図１３は、図１２において光路を例示した図である。
【００６７】
図１３の感知器２００の不図示の制御部が発光部２５から光を出力する。この場合、当該発光部２５からの光は、分光部２２３にて屈折、分散、又は反射されて、図１３に示すように、薄肉部２１１全体に照射され、また、保護部２２全体に導光される。なお、図１３では、説明の便宜上、図面左側の発光部２５からの光の光路のみが図示されているが、実際には、図面右側の発光部２５からも光が出力されて、薄肉部２１１全体に照射され、また、保護部２２全体に導光されることになる。そして、図１０の薄肉部２１１及び保護部２２全体が発光することになる。
【００６８】
（試験）
次に、このように構成される感知器２００の試験について説明する。図１４は、図１２の断面図に対して試験冶具を図示した図であり、図１５は、図１２の断面図に対して試験用アダプタを図示した図である。ここでは、試験用アダプタ８２を用いずに試験を行う場合と、試験用アダプタ８２を用いて試験を行う場合について説明する。
【００６９】
まず、試験用アダプタ８２を用いずに試験を行う場合、図１４に示すように試験冶具８１を感知器２００に当接させて当該感知器２００の一部（例えば、保護部２２等）を試験冶具８１の中空部に収容した状態で、当該試験冶具８１の中空部側から熱を加える。この場合、感知器２００の制御部で、火災として検出し、図１３の発光部２５から赤色光を出力する。そして、前述したように、赤色光が薄肉部２１１全体に照射され、また、保護部２２全体に導光されることにより、薄肉部２１１及び保護部２２全体が発光することになる。この場合、薄肉部２１１の一部及び保護部２２は、図１４に示すように試験冶具８１に隠れて外部から視認不可能となっているが、薄肉部２１１における外カバー２１の側面部側の一部である側方部２１１Ａが露出しているので、当該側方部２１１Ａの赤色の発光が視認可能となる。このため、ユーザは、当該側方部２１１Ａの赤色の発光を視認することにより、試験に関する情報を把握することが可能となる。
【００７０】
次に、試験用アダプタ８２を用いて試験を行う場合、図１５に示すように試験用アダプタ８２を感知器２００に当接させて当該感知器２００の一部（例えば、保護部２２等）を試験用アダプタ８２の中空部に収容した状態で、当該試験用アダプタ８２の中空部側から熱を加える。この場合、感知器２００の制御部で、火災として検出し、図１３の発光部２５から赤色光を出力する。そして、前述したように、薄肉部２１１全体に照射され、また、保護部２２全体に導光されることにより、薄肉部２１１及び保護部２２全体が発光することになる。この場合、薄肉部２１１の一部及び保護部２２は、図１５に示すように試験冶具８１に隠れて外部から視認不可能となっているが、薄肉部２１１における外カバー２１の側面部側の一部である側方部２１１Ａ、及び薄肉部２１１における外カバー２１の正面部の縁部に形成されている一部である正面側縁部２１１Ｂが露出しているので、当該側方部２１１Ａ及び正面側縁部２１１Ｂの赤色の発光が視認可能となる。このため、ユーザは、当該側方部２１１Ａ及び正面側縁部２１１Ｂの赤色の発光を視認することにより、試験に関する情報を把握することが可能となる。
【００７１】
（実施の形態の効果）
このように本実施の形態によれば、表示手段は薄肉部２１１の一部であることにより、例えば、発光させるための他の構成要素を設けることが不要となるので、部品点数を減少させることができ、コストの低減を図ることが可能となる。
【００７２】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７３】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００７４】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００７５】
（導光部及び薄肉部について）
また、実施の形態１では、図２に示すように、導光部１１１が外カバー１１の正面部側から見たときに直線形状である場合について説明したが、これに限らない。例えば、導光部１１１を外カバー１１の正面部側から見たときに曲線形状（例えば、全体としてはＳ字形状）としてもよい。なお、実施の形態２の図１０の薄肉部２１１についても、同様にして、曲線形状（例えば、全体としてはＳ字形状）としてもよい。
【００７６】
また、各実施の形態では、導光部及び薄肉部が２個ずつ設けられている場合について説明したが、これに限らない。例えば、導光部及び薄肉部を省略してもよいし、あるいは、１個ずつ設けてもよいし、又は、３個以上ずつ設けてもよい。
【００７７】
（突出部について）
また、各実施の形態の感知器に対して突出部を設けて、当該突出部を表示手段として用いてもよい。図１６は、感知器の平面図であり、図１７は、図１６のＣ‐Ｃ断面図に対して試験冶具を図示した図である。突出部の具体的な実装手法は任意であるが、例えば、実施の形態１の図２の導光部１１１におけるＸ軸方向における長さを伸ばすことにより、図１６に示すように、導光部１１１と同様な構成の導光部３１１の先端を突出部３１１Ａとして構成してもよい。このように構成した感知器３００の場合、図１７に示すように試験冶具８１を設けた場合に、導光部３１１の一部である突出部３１１Ａが当該試験冶具８１から露出することになるので、試験時に発光部からの光によって突出部３１１Ａが発光した場合に、ユーザが当該発光を視認することが可能となる。このように構成した場合、表示手段である突出部３１１Ａは感知器３００の外カバーの側面部から突出していることにより、例えば、表示手段である突出部３１１Ａを確実に視認させることができるので、試験に関する情報を確実に把握させることが可能となる。
【００７８】
また、例えば、実施の形態２の感知器２００についても、外カバー２１の外形を図１６の感知器３００と同様に突出部を備える外形とした上で、当該突出部を薄肉部とすることにより、当該突出部を表示手段として構成してもよい。
【００７９】
また、例えば、導光部又は薄肉部以外の表示灯（例えば、従来と同様な砲弾型の表示灯等）を感知器の側面に設けることにより、当該等を突出部である表示手段として構成してもよい。
【００８０】
（特徴について）
また、上記各実施の形態の構成、及び変形例の特徴を、任意に組み合わせてもよい。例えば、図２の感知器１００における外カバー１１に対して薄肉部を設けて、導光部１１１と共に当該薄肉部を発光させるように構成してもよいし、あるいは、図１０の感知器２００における外カバー１１に対して導光部を設けて、薄肉部２１１と共に導光部を発光させるように構成してもよい。
【００８１】
（付記）
付記１の防災機器は、防災機器であって、外カバーと、発光することにより少なくとも前記防災機器の試験に関する情報を出力する表示手段であって、前記外カバーに設けられている前記表示手段と、を備え、前記表示手段の表示面の少なくとも一部は、前記防災機器の試験を行うために、前記外カバーの少なくとも一部が試験装置で覆われた場合に、当該試験装置の外側に露出する。
【００８２】
付記２の防災機器は、付記１に記載の防災機器において、前記表示手段は、前記外カバーの側面部から突出している。
【００８３】
付記３の防災機器は、付記１又は２に記載の防災機器において、前記表示手段は、少なくとも、前記外カバーの側面部に形成されている。
【００８４】
付記４の防災機器は、付記１から３の何れか一項に記載の防災機器において、前記表示手段は、少なくとも、前記外カバーの正面部における縁部に形成されている。
【００８５】
付記５の防災機器は、付記１から４の何れか一項に記載の防災機器において、前記表示手段は、前記外カバーに形成されている導光手段であって、発光手段からの光を導光する前記導光手段である。
【００８６】
付記６の防災機器は、付記１から５の何れか一項に記載の防災機器において、前記表示手段は、前記外カバーにおける他の部分よりも薄い薄肉部であって、発光手段からの光が照射される前記薄肉部である。
【００８７】
付記７の防災機器は、付記１から６の何れか一項に記載の防災機器において、前記防災機器は、少なくとも、熱感知器である。
【００８８】
（付記の効果）
付記１に記載の防災機器によれば、表示手段の表示面の少なくとも一部は、防災機器の試験を行うために、外カバーの少なくとも一部が試験装置で覆われた場合に、当該試験装置の外側に露出することにより、例えば、試験装置で防災機器の少なくとも一部を覆った状態でも、表示手段を視認可能にすることができるので、試験に関する情報を把握させることが可能となる。
【００８９】
付記２に記載の防災機器によれば、表示手段は外カバーの側面部から突出していることにより、例えば、表示手段を確実に視認させることができるので、試験に関する情報を確実に把握させることが可能となる。
【００９０】
付記３に記載の防災機器によれば、表示手段は外カバーの側面部に形成されていることにより、例えば、防災機器に対するあらゆる方向から表示手段を視認させることができるので、試験に関する情報を確実に把握させることが可能となる。
【００９１】
付記４に記載の防災機器によれば、表示手段は外カバーの正面部における縁部に形成されていることにより、例えば、防災機器の真下からも表示手段を視認させることができるので、試験に関する情報を確実に把握させることが可能となる。
【００９２】
付記５に記載の防災機器によれば、表示手段は導光部であることにより、例えば、表示手段に対する光源（例えば、発光手段）の設置位置の自由度を向上させることができるので、防災機器の設計の自由度を向上させることが可能となる。
【００９３】
付記６に記載の防災機器によれば、表示手段は薄肉部であることにより、例えば、発光させるための他の構成要素を設けることが不要となるので、部品点数を減少させることができ、コストの低減を図ることが可能となる。
【００９４】
付記７に記載の防災機器によれば、防災機器は少なくとも熱感知器であることにより、例えば、試験装置で防災機器の少なくとも一部を覆った状態でも、試験に関する情報を把握させることができる熱感知器を提供することができる。
【符号の説明】
【００９５】
１１  外カバー
１２  保護部
１３  防止部
１４  サーミスタ
１５  発光部
２１  外カバー
２２  保護部
２３  防止部
２４  サーミスタ
２５  発光部
８１  試験冶具
８２  試験用アダプタ
１００  感知器
１０１  取付部
１１１  導光部
１１１Ａ  側方部
１１１Ｂ  正面側縁部
１１２  操作孔
１２１  フレーム部
１２２  開口部
１２３  分光部
２００  感知器
２０１  取付部
２１１  薄肉部
２１１Ａ  側方部
２１１Ｂ  正面側縁部
２２１  フレーム部
２２２  開口部
２２３  分光部
３１１    導光部
３１１Ａ  突出部
８００  試験用装置
９００  取付対象
【図１】
2020190999.tif 000003
【図２】
2020190999.tif 000004
【図３】
2020190999.tif 000005
【図４】
2020190999.tif 000006
【図５】
2020190999.tif 000007
【図６】
2020190999.tif 000008
【図７】
2020190999.tif 000009
【図８】
2020190999.tif 000010
【図９】
2020190999.tif 000011
【図１０】
2020190999.tif 000012
【図１１】
2020190999.tif 000013
【図１２】
2020190999.tif 000014
【図１３】
2020190999.tif 000015
【図１４】
2020190999.tif 000016
【図１５】
2020190999.tif 000017
【図１６】
2020190999.tif 000018
【図１７】
2020190999.tif 000019